(57)【要約】【課題】２つの保持枠１１、１２によってプラグ５６、５７を収納保持した状態において、台紙１３を介して透明な外装箱１０内に収納して展示する展示用ケースにおいて、上記プラグ５６、５７を保持する第１の保持枠１１と第２の保持枠１２とを同時に成形し、後から分断できるようにする。【解決手段】第１の保持枠１１の突部３５の後方に、第２の保持枠１２の突部４１を一体に連設した状態で、圧空成形法によって圧空成形し、第１の保持枠１１の外周部をトリミングする際に、切断位置４８の部分でこの圧空成形体を分断することによって、第２の保持枠１２を第１の保持枠１１から切断する。そして第１の保持枠１１の突部３５の保持部３６にプラグ５６を保持し、第２の保持枠１２の保持部４２にプラグ５７を収納し、２つのプラグ５６、５７を接続するコード５５を、第１の保持枠１１の突部３５の側方であって開口４９上に配置する。【選択図】図８
2008110781.tif 000002
【特許請求の範囲】
【請求項１】
透明な外装箱内に保持手段を配し、該保持手段によって物品を保持して展示するようにした展示用ケースにおいて、
前記保持手段が第１の保持枠と第２の保持枠とから成り、第１の保持枠に第２の保持枠が係止手段を介して係止されることを特徴とする展示用ケース。
【請求項２】
前記外装箱と前記保持枠との間に所定の表示を施した台紙が配され、前記第１の保持枠または前記第２の保持枠に保持されている物品が前記台紙の欠如部によって外から見えるようになっていることを特徴とする請求項１に記載の展示用ケース。
【請求項３】
前記係止手段が、前記第１の保持枠と前記第２の保持枠の内の一方の側部に形成された凹部と、他方の側部に形成された凸部とから構成されることを特徴とする請求項１に記載の展示用ケース。
【請求項４】
前記第１の保持枠と前記第２の保持枠とにそれぞれ保持部が設けられ、該保持部によって物品の所定の部位が保持されることを特徴とする請求項１に記載の展示用ケース。
【請求項５】
前記保持部によってコードの端部に接続されたプラグが保持されることを特徴とする請求項４に記載の展示用ケース。
【請求項６】
前記保持部によってコードの端部に接続されたイヤホンまたはヘッドホンが保持されることを特徴とする請求項４に記載の展示用ケース。
【請求項７】
前記第１の保持枠および前記第２の保持枠が、透明樹脂の圧空成形体または真空成形体であることを特徴とする請求項１に記載の展示用ケース。
【請求項８】
透明な外装箱内に保持手段を配し、該保持手段によって物品を保持して展示するようにした展示用ケースの製造方法において、
前記保持手段が第１の保持枠と第２の保持枠とから成り、前記第１の保持枠の内側に前記第２の保持枠が一体に連結された状態で一緒に成形され、トリミング時にカットされて前記第１の保持枠から前記第２の保持枠が分断されることを特徴とする展示用ケースの製造方法。
【請求項９】
前記第１の保持枠上において前記第２の保持枠が組立て時とは直交する方向に配列された状態で成形されることを特徴とする請求項８に記載の展示用ケースの製造方法。
【請求項１０】
前記第１の保持枠および前記第２の保持枠が透明樹脂によって圧空成形または真空成形されることを特徴とする請求項８に記載の展示用ケースの製造方法。
【発明の詳細な説明】
【技術分野】
【０００１】
本発明は展示用ケースおよびその製造方法に係り、とくに透明な外装箱内に保持手段を配し、該保持手段によって物品を保持して展示するようにした展示用ケースおよびその製造方法に関する。
【背景技術】
【０００２】
各種の電子機器の小物類を販売するために、従来より展示用ケースが用いられている。展示用ケースは、透明なケース本体の内側の凹部に商品を収納するとともに、この凹部の背面側開口を背面板によって閉塞して展示を行なうようにしたものである。ケース本体が透明であって、前方から内部の物品が見えるようにし、これによって展示を行ないながら販売を行なうようにしている。
【０００３】
例えば特許第３２３９９１２号公報には、透明なケース本体の内側の凹部に商品を収納するとともに、該凹部の背面側開口を背面板によって閉塞するようにした展示用ケースにおいて、ケース本体の凹部内において商品を保持する中枠と、ケース本体の凹部の内側に配され、ケース本体を通して表示を行なう表示板とを具備し、表示板に係止部が設けられ、中枠に設けられている被係止部を係止するようにした展示用ケースが開示されている。
【０００４】
また特許第３３３１８４９号公報には、接続コードを有する電子機器の機器本体を収納する機器本体収納部と機器本体収納部に連設された基体と該基体に対して開閉自在にヒンジ部を介して設けられた接続コードを収納する断面略凹状の蓋体とからなる接続コード収納部とを有する収納体と、上記収納体を収納する断面略凹状の外筐と、上記外筐の開口部を閉塞するように取り付けられる基台とを備え、上記基体と上記蓋体は、いずれか一方に係合スリットが開設されるとともに、他方に係合突片が設けられ、上記蓋体は、上記係合スリットに上記係合片が係合されて上記基体により閉塞される電子機器の収納装置が開示されております。
【０００５】
またプラグが両端に接続されたコードを展示して販売するための保持枠１として、従来は図１０に示す構造が採用されていた。この保持枠１は透明樹脂の圧空成形体から構成され、その上部に形成されている３つの凹所から成る保持部２を備えるとともに、上記保持枠１の保持部２の下側であって内側に補助保持枠３を組込むようにしている。ここで補助保持枠３にも、凹所から成る３つの保持部４が設けられている。従ってコード５の一端に接続されているプラグ６は、保持枠１の保持部２に収納保持され、これに対してコード５の他端に接続されているプラグ７は補助保持枠３に設けられている保持部４に収納保持されるようになっている。
【０００６】
そしてこのような保持枠５をさらに台紙を介して、例えば透明な外装箱内に収納することにより、展示しながら販売するようにしている。
【０００７】
このような構造は、保持枠１と補助保持枠３とをそれぞれ別々に圧空成形し、これらの保持枠１と補助保持枠３とを互いに組立てる必要がある。そしてこの保持枠１には、コード５を挿通させるための比較的大きな開口８を圧空成形後に形成する必要がある。ここで開口８の部分の高さが、保持枠１の底部の高さよりも高くなっているために、保持枠１の外周部を形成するためのトリミングとは別の工程で開口８の部分を分断して形成する必要があり、これによって保持枠１の製造工程が増加する欠点がある。またプラグ６、７が両端に接続されたコード５を収納保持する際に、補助保持枠３を保持枠１の内側に挿入してテープ等によって固定する必要があり、このために展示ケース内に物品を収納して展示用ケースを組立てる作業の作業性が悪く、さらに部品点数が多くなる欠点がある。
【特許文献１】特許第３２３９９１２号公報
【特許文献２】特許第３３３１８４９号公報
【発明の開示】
【発明が解決しようとする課題】
【０００８】
本願発明の課題は、収納しようとする物品を展示用ケース内に組込んで組立てる作業が容易な展示用ケースおよびその製造方法を提供することである。
【０００９】
本願発明の別の課題は、部品点数が少なく、これによってコストの低減を図り得るようにした展示用ケースとその製造方法を提供することである。
【００１０】
本願発明のさらに別の課題は、展示した場合に外部から収納された物品が容易に視認することが可能な展示用ケースおよびその製造方法を提供することである。
【００１１】
本願発明の上記の課題および別の課題は、以下に述べる本願発明の技術的思想、およびその実施の形態によって明らかにされる。
【課題を解決するための手段】
【００１２】
本願の主要な発明は、透明な外装箱内に保持手段を配し、該保持手段によって物品を保持して展示するようにした展示用ケースにおいて、
前記保持手段が第１の保持枠と第２の保持枠とから成り、第１の保持枠に第２の保持枠が係止手段を介して係止されることを特徴とする展示用ケースに関するものである。
【００１３】
ここで、前記外装箱と前記保持枠との間に所定の表示を施した台紙が配され、前記第１の保持枠または前記第２の保持枠に保持されている物品が前記台紙の欠如部によって外から見えるようになっていてよい。また前記係止手段が、前記第１の保持枠と前記第２の保持枠の内の一方の側部に形成された凹部と、他方の側部に形成された凸部とから構成されてよい。また前記第１の保持枠と前記第２の保持枠とにそれぞれ保持部が設けられ、該保持部によって物品の所定の部位が保持されてよい。また前記保持部によってコードの端部に接続されたプラグが保持されてよい。また前記保持部によってコードの端部に接続されたイヤホンまたはヘッドホンが保持されてよい。また前記第１の保持枠および前記第２の保持枠が、透明樹脂の圧空成形体または真空成形体であってよい。
【００１４】
製造方法に関する主要な発明は、透明な外装箱内に保持手段を配し、該保持手段によって物品を保持して展示するようにした展示用ケースの製造方法において、
前記保持手段が第１の保持枠と第２の保持枠とから成り、前記第１の保持枠の内側に前記第２の保持枠が一体に連結された状態で一緒に成形され、トリミング時にカットされて前記第１の保持枠から前記第２の保持枠が分断されることを特徴とする展示用ケースの製造方法に関するものである。
【００１５】
ここで、前記第１の保持枠上において前記第２の保持枠が組立て時とは直交する方向に配列された状態で成形されてよい。また前記第１の保持枠および前記第２の保持枠が透明樹脂によって圧空成形または真空成形されてよい。
【発明の効果】
【００１６】
本願の主要な発明は、透明な外装箱内に保持手段を配し、該保持手段によって物品を保持して展示するようにした展示用ケースにおいて、保持手段が第１の保持枠と第２の保持枠とから成り、第１の保持枠に第２の保持枠が係止手段を介して係止されるようにしたものである。
【００１７】
従ってこのような展示用ケースによると、第１の保持枠と第２の保持枠とによって物品がそれぞれ保持された状態で、第２の保持枠が係止手段を介して第１の保持枠に係止されて互いに結合され、第１の保持枠と第２の保持枠とがこのような状態において透明な外装箱内に収納されるようになる。従って上記透明な外装箱を通して、第１の保持枠と第２の保持枠とによって保持された物品を外部から視認することが可能になる。
【００１８】
製造方法に関する主要な発明は、透明な外装箱内に保持手段を配し、該保持手段によって物品を保持して展示するようにした展示用ケースの製造方法において、保持手段が第１の保持枠と第２の保持枠とから成り、第１の保持枠の内側に第２の保持枠が一体に連結された状態で一緒に成形され、トリミング時にカットされて第１の保持枠から第２の保持枠が分断されるようにしたものである。
【００１９】
従ってこのような展示用ケースの製造方法によると、第１の保持枠と第２の保持枠とが一体に連結された状態で成形された後に、外周部を除去するトリミング時に、第１の保持枠から第２の保持枠がカットされて分断されることになり、分断された第２の保持枠を第１の保持枠と組合せることによって展示用ケースが組立てられることになる。従って単一の成形体によって第１の保持枠と第２の保持枠とを一緒に成形することが可能になり、このために成形時における部品点数が少なくなる。
【発明を実施するための最良の形態】
【００２０】
以下本願発明を図示の実施の形態によって説明する。図１および図２はこの展示用ケースの全体の構成を示すものであって、この展示用ケースは外装箱１０と、第１の保持枠１１と、第２の保持枠１２とから成る保持手段と、そしてこれら一対の保持枠１１、１２から成る保持手段と外装箱１０との間に配される台紙１３とから構成される。ここで第１の保持枠１１と第２の保持枠１２とが、図１に示すように互いに組合わされ、このような状態でこれらの保持枠１１、１２が台紙１３の内側に収納される。そして保持枠１１、１２を保持した台紙１３がさらに外装箱１０内に収納されることになる。
【００２１】
外装箱１０は例えばポリプロピレン樹脂のシートを折曲げて成形した箱体であって、偏平な直方体状をなしており、上部が上部開口１６によって開放される。この開口１６の両側縁から補助フラップ１７が延びるように連設される。そして補助フラップ１７を覆うように上蓋１８が装着されるようになっている。上記上蓋１８の先端部には係止片１９が連設されている。これに対して上部開口１６の背面側には上方に延びるように吊下げ片２０が連設されるとともに、この吊下げ片２０の先端側には折返し片２１が連設される。そして吊下げ片２０と折返し片２１とには同一の形状の吊下げ用開口２２が形成され、折返し片２１を吊下げ片２０に重合わせるときに、２つの吊下げ用開口２２が互いに整合されるようになっている。
【００２２】
次に外装箱１０内に配される台紙１３は例えば板紙から構成され、背後の部分が２枚の板紙を重合わせた背面板２６から構成される。これに対して背面板２６と対向するように前面板２７が配される。前面板２７はその下側の底板の部分で背面板２６に連結されるようになっている。また前面板２７には側板２８が連設されるとともに、前面板２７の両側の部分から側板２８の部分にかけて切欠き２９が形成されるようになっており、これらの切欠き２９によって内部の物品が見えるようにしている。なお前面板２７の上端は短くなっており、その上側の部分が欠如部３０になっている。またこの台紙１３の背面板２６の上端には吊下げ用開口３１が形成されている。この吊下げ用開口３１は、台紙１３を外装箱１０内に挿入したときに、上記外装箱１０の吊下げ片２０と折返し片２１にそれぞれ形成された吊下げ用開口２２と整合するようになっている。
【００２３】
次に上記台紙１３内に組込まれる一対の保持枠１１、１２について説明する。これらの保持枠１１、１２は図３〜図５に示す圧空成形体によって構成される。圧空成形体はその第１の保持枠１１と対応する部分の図３および図４において左方に突部３５が形成される。そして突部３５上には、横に３つの凹所から成る保持部３６が並んで形成される。また突部３５の終端と対応するように、保持部３６に連続する導入溝３７が形成される。また上記突部３５の側面であって両側から左端側にかけて段部３８が形成され、この段部３８によって第２の保持枠１２の下端を支えるようにしている。
【００２４】
第２の保持枠１２は、上記第１の保持枠１１の突部３５の図３および図４において右方に位置するようにこの圧空成形体に一体に形成される。そして突部４１には凹所から成る３つの保持部４２が形成される。保持部４２の終端側には導入溝４３が形成される。
【００２５】
また第２の保持枠１２を構成する突部４１の両側にはそれぞれ係止用凹部４５が形成される。この係止用凹部４５は第１の保持枠１１の両側に形成される係止用凸部４６と係合され、これによって第１の保持枠１１上において第２の保持枠１２を係止するようになっている。
【００２６】
上記第１の保持枠１１と第２の保持枠１２とが上述の如く連続する圧空成形体によって形成されるようになっており、この圧空成形体の外周部をトリミングして第１の保持枠１１の外周部を画成する際に、鎖線４８で示す切断位置で、同時にこの圧空成形体が切断され、これによって第２の保持枠１２が第１の保持枠１１から分断されることになる。図６は切断位置４８で切断される前の状態を示しており、これに対して図７は切断位置４８のところで第２の保持枠１２が切断されてその部位に開口４９が形成された状態を示している。なお第１の保持枠１１の突部３５とは反対側の部分には、その両側に突柱５１が形成されるようになっている。
【００２７】
次にこのような保持枠１１、１２に対する物品の収納保持の動作を図８によって説明する。ここではコード５５を収納保持するようにしており、コード５５の一端にプラグ５６が接続され、他端にプラグ５７が接続されている。このようなコード５５は、その中間部分を巻回した状態で、一方のプラグ５６を第１の保持枠１１の突部３５に形成された保持部３６に収納する。これに対して反対側のプラグ５７を第２の保持枠１２の突部４１の保持部４２に収納する。なお中間部分のコード５５については、保持枠１１の開口４９の上側に巻回された状態で配置される。
【００２８】
そして上記プラグ５７を収納保持した第２の保持枠１２を第１の保持枠１１の突部３５上に組合わせる。すなわち上記第２の保持枠１２の両側部を第１の保持枠１１の突部３５の両側の段部３８によって受けるようにする。同時に第２の保持枠１２の両側の係止用凹部４５を第１の保持枠１１の突部３５の両側の凸部４６に係止する。これによって第２の保持枠１２が第１の保持枠１１に組合わされて係止されるようになる。
【００２９】
このように両端にプラグ５６、５７を接続したコード５５を第１の保持枠１１と第２の保持枠１２とによって保持した状態で、このような保持枠１１、１２を図１に示す台紙１３の前面板２７と背面板２６との間に挿入する。そして保持枠１１、１２を保持した台紙１３はさらに外装箱１０の上部開口１６からその中に収納される。そしてこの後に、この外装箱１０の上部開口１６を補助フラップ１７および上蓋１８によって閉じるようにする。このときに上蓋１８が係止片１９によって閉じた状態で係止される。そして折返し片２１を内側に折返すことによって、吊下げ片２０と重合わせる。なおこのときに吊下げ片２０と折返し片２１とによって、上記台紙１３の背面板２６の上端を挟着する。すると吊下げ片２０と折返し片２１の吊下げ用開口２２が背面板２６の吊下げ用開口３１に整合することになり、これらの吊下げ用開口２２、３１を利用して、所定の位置に引っ掛けて展示販売できるようになる。
【００３０】
このような包装形態によると、とくにポリプロピレン樹脂から成る透明な外装箱１０の前面側から、台紙１３の前面板２７の欠如部３０の上側に露出するように、第２の保持枠１２上の保持部４２に保持されているプラグ５７の部分と、このプラグ５７に接続されるコード５５の一部が前方から容易に視認することが可能になり、これによって内部に収納されたコードを確認することが可能になる。従ってこのような包装手段を開けることなく、しかも内部の物品を見ることができるために、販売促進につながることになる。
【００３１】
次に変形例の構成を図９によって説明する。この変形例は、プラグ５６、５７を両端に接続したコード５５を展示して収納するのに代えて、イヤホン６１とプラグ６２を接続したコード６０を収納して展示するようにしたものである。すなわち第１の保持枠１１の突部３５上に形成されている３つの保持部６５、６６の内の中央の保持部６６に、コード６０の一端に接続されるプラグ６２を収納保持する。そしてプラグ６２を収納保持する保持部６６の両側の保持部６５には、イヤーパッド６３を収納保持する。これに対して第２の保持枠１２の突部４１には、保持部を構成する凹所６７が形成され、これらの凹所６７にはそれぞれコード６０に接続されたイヤホン６１が収納されることになる。このようにしてイヤホン６１とプラグ６２が接続されたコード６０とイヤーパッド６３とをそれぞれ保持枠１１、１２によって保持した状態で、このような保持枠１１、１２を第１の実施の形態と同様に、台紙１３に組合わせ、さらに保持枠１１、１２を組合せた台紙１３を外装箱に収納することによって、展示用の包装形態が達成される。
【００３２】
上記第１の実施の形態および第２の実施の形態における第２の保持枠１２は、第１の保持枠１１をトリミングする際に、図３および図６に示す切断位置４８の部分でこの圧空成形体を切断することによって、第２の保持枠１２が第１の保持枠１１から分断されることになる。従って別々に保持枠１１、１２を圧空成形する必要がなくなる。すなわち第２の保持枠１２を切断するための切断位置４８が、第１の保持枠１１の図３〜図５に示す底部と同一の高さにあるために、第１の保持枠１１のトリミングと第２の保持枠１２の分断とを同時に達成することが可能になる。従って圧空成形して分断する前の段階における部品点数が１個で済むことになる。
【００３３】
また第２の保持枠１２を第１の保持枠１１に組合せる際に、第２の保持枠１２の係止用凹部４５と第１の保持枠１１の係止用凸部４６とを互いに係合させるだけでよく、組立てが容易になる。また後からテープ止めを行なう必要がなく、これによって組立ての工数を低減することが可能になる。
【００３４】
以上本願発明を図示の実施の形態によって説明したが、本願発明は上記実施の形態によって限定されることなく、本願発明の技術的思想の範囲内において各種の変更が可能である。例えば上記実施の形態における収納するための物品として、プラグ５６、５７を接続したコード５５や、イヤホン６１とプラグ６２とを接続したコード６０以外にも、他の小物類の電子部品を任意に収納保持して展示することが可能である。また収納して展示される物品の形状や構造に応じて、この展示用ケースを構成する包装箱１０、保持枠１１、１２、あるいは台紙１３の形状や寸法を設計変更することが可能である。
【産業上の利用可能性】
【００３５】
本願発明は、プラグを両端に接続したコードや、イヤホンおよびプラグを両端に接続したコードを展示して販売するのに利用することができる。
【図面の簡単な説明】
【００３６】
【図１】展示用ケースの全体の構造を示す分解斜視図である。
【図２】同展示用ケースの組立て断面図である。
【図３】同展示用ケースの保持枠を組立てるための圧空成形体の平面図である。
【図４】同側面図である。
【図５】同正面図である。
【図６】同斜視図である。
【図７】第２の保持枠を第１の保持枠から切断して第１の保持枠上に組合せた状態の斜視図である。
【図８】両端にプラグを接続したコードを収納する状態を示す分解斜視図である。
【図９】両端にイヤホンとプラグとを接続したコードを収納する動作を示す分解斜視図である。
【図１０】従来のプラグを両端に接続したコードを収納保持する保持枠の構造を示す分解斜視図である。
【符号の説明】
【００３７】
１…保持枠、２…保持部（凹所）、３…補助保持枠、４…保持部（凹所）、５…コード、６、７…プラグ、１０…外装箱、１１…第１の保持枠、１２…第２の保持枠、１３…台紙、１６…上部開口、１７…補助フラップ、１８…上蓋、１９…係止片、２０…吊下げ片、２１…折返し片、２２…吊下げ用開口、２６…背面板、２７…前面板、２８…側板、２９…切欠き、３０…欠如部、３１…吊下げ用開口、３５…突部、３６…保持部（凹所）、３７…導入溝、３８…段部、４１…突部、４２…保持部（凹所）、４３…導入溝、４５…係止用凹部、４６…係止用凸部、４８…切断位置、４９…開口、５１…突柱、５５…コード、５６、５７…プラグ、６０…コード、６１…イヤホン、６２…プラグ、６３…イヤーパッド、６５、６６…保持部、６７…保持部（凹所）
【図１】
2008110781.tif 000003
【図２】
2008110781.tif 000004
【図３】
2008110781.tif 000005
【図４】
2008110781.tif 000006
【図５】
2008110781.tif 000007
【図６】
2008110781.tif 000008
【図７】
2008110781.tif 000009
【図８】
2008110781.tif 000010
【図９】
2008110781.tif 000011
【図１０】
2008110781.tif 000012